(57)【特許請求の範囲】
【請求項１】
光源と、回転操作されることによって光源を点灯／消灯させる回転操作ユニットとから構成される照明器具であって、
前記回転操作ユニットは、
回転操作されるつまみと、
つまみの回転力を伝達する伝達機構と、
伝達機構から伝達される回転力によって回転するカム板、及びカム板の一面に突設されてカム板の回転に伴って円運動する複数の突部からなるカムと、
円運動する突部の軌跡に対向して揺動操作可能に配設される操作部、及び操作部の揺動位置に応じて開閉状態が切り替えられる接点部からなるスイッチ手段とを備え、
前記突部は、カム板が回転して操作部に対向する箇所を通過する際に操作部に接触して当該操作部の揺動位置を切り替え、接点部の開閉状態を切り替えることを特徴とする照明器具。
【請求項２】
前記突部は、カム板が一方向へ回転した際に操作部に接触する第一の傾斜面と、カム板が他方向へ回転した際に操作部に接触する第二の傾斜面とを有することを特徴とする請求項１記載の照明器具。
【請求項３】
前記突部は、弾性体からなることを特徴とする請求項１または２記載の照明器具。
【発明の詳細な説明】
【技術分野】
【０００１】
本発明は、照明器具に関するものである。
【背景技術】
【０００２】
従来から、専用のカムスイッチを有して当該カムスイッチのつまみを回転操作することで光源の点灯／消灯を切り替え可能なスタジオ用照明器具が提供されていた。
【０００３】
上記カムスイッチに対して、カムシャフトが挿通する略円板状のカム板の外周面に突部を形成し、更に、カム板の外周面に対向する箇所に汎用のマイクロスイッチを配設し、カム板が回転して突部がマイクロスイッチに対向した際に、突部がマイクロスイッチをＯＮ／ＯＦＦする回転操作ユニットが提供されている（例えば特許文献１参照）。
【先行技術文献】
【特許文献】
【０００４】
【特許文献１】特開昭５８−１９９３３９号公報
【発明の概要】
【発明が解決しようとする課題】
【０００５】
しかしながら、上記スタジオ用照明器具で用いられているカムスイッチは、サイズが大きく重いことに加え、高価であることから、当該カムスイッチを有するスタジオ用照明器具が大型で重くなり、更には、高価となってしまうといった問題があった。
【０００６】
また、上記に示すように、汎用のマイクロスイッチを用いた回転操作ユニットは提供されていたが、操作部が揺動して当該操作部の揺動位置に応じて接点状態が切り替わるスイッチ（例えば、シーソースイッチ）を用いた回転操作ユニットは提供されていなかった。
【０００７】
また、マイクロスイッチを用いた上記回転操作ユニットは、カム板の外周面に突部が形成され、更に、カム板の外周面に対向してマイクロスイッチが配設される構造であることから、カム板の径方向に回転操作ユニットが大きくなってしまうといった問題があった。
【０００８】
本発明は、上記事由に鑑みてなされたものであり、その目的は、揺動操作可能な操作部を有するスイッチを用いた回転操作ユニットを備えて、軽量コンパクトで且つ安価な照明器具を提供することにある。
【課題を解決するための手段】
【０００９】
請求項１の発明は、光源と、回転操作されることによって光源を点灯／消灯させる回転操作ユニットとから構成される照明器具であって、前記回転操作ユニットは、回転操作されるつまみと、つまみの回転力を伝達する伝達機構と、伝達機構から伝達される回転力によって回転するカム板、及びカム板の一面に突設されてカム板の回転に伴って円運動する複数の突部からなるカムと、円運動する突部の軌跡に対向して揺動操作可能に配設される操作部、及び操作部の揺動位置に応じて開閉状態が切り替えられる接点部からなるスイッチ手段とを備え、前記突部は、カム板が回転して操作部に対向する箇所を通過する際に操作部に接触して当該操作部の揺動位置を切り替え、接点部の開閉状態を切り替えることを特徴とする。
【００１０】
この発明によれば、カムスイッチを用いることなく、揺動操作可能な汎用のスイッチ手段を用いた回転操作ユニットによって、光源の点灯／消灯を切り替えることができ、カムスイッチを用いた場合に比べて軽量コンパクトで且つ安価な照明器具を提供することができる。
【００１１】
また、カム板の一面に突部を設けて、当該突部によって揺動操作されるスイッチ手段をカム板の一面に対向配置していることから、カム板の回転軸に直交する方向において回転操作ユニットを小さくすることができる。
【００１２】
請求項２の発明は、請求項１記載の発明において、前記突部は、カム板が一方向へ回転した際に操作部に接触する第一の傾斜面と、カム板が他方向へ回転した際に操作部に接触する第二の傾斜面とを有することを特徴とする。
【００１３】
この発明によれば、つまみをいずれの回転方向に回転させた際にも、光源の点灯／消灯を切り替えることができ、更には、突部が操作部に接触する際の衝撃を低減してつまみの回転操作をスムーズに行うことができる。
【００１４】
請求項３の発明は、請求項１または２記載の発明において、前記突部は、弾性体からなることを特徴とする。
【００１５】
この発明によれば、突部が操作部に接触する際の接触抵抗を低減でき、つまみの回転操作をよりスムーズに行うことができる。
【発明の効果】
【００１６】
以上説明したように、本発明では、揺動操作可能な操作部を有するスイッチを用いた回転操作ユニットを備えて、軽量コンパクトで且つ安価な照明器具を提供することができるという効果がある。
【図面の簡単な説明】
【００１７】
【図１】本発明の実施形態における回転操作ユニットの上断面図を示す。
【図２】同上における回転操作ユニットの側断面図を示す。
【図３】同上における回転操作ユニットを備えたスタジオ用照明器具を示す。
【図４】（ａ）、（ｂ）は、同上における回転操作ユニットが備えるカムを示し、（ａ）は、正面図、（ｂ）は側面図を示す。
【図５】同上における回転操作ユニットが備えるカムとシーソースイッチの配置図を示す。
【図６】（ａ）、（ｂ）は、同上における回転操作ユニットが備えるカムの別形態を示し、（ａ）は、正面図、（ｂ）は側面図を示す。
【発明を実施するための形態】
【００１８】
以下、本発明の実施の形態を図面に基づいて説明する。
【００１９】
（実施形態）
本実施形態の照明器具は、図３に示すように、回転操作ユニット１のつまみ１１が回転操作されることによって光源２の点灯／消灯が切り替えられるスタジオ用照明器具である。
【００２０】
スタジオ用照明器具は、光源２と、光源２を点灯／消灯させる点灯回路３と、内部に光源２及び点灯回路３を収納するケース４と、ケース４表面に配設される上記回転操作ユニット１とから構成される。
【００２１】
そして、回転操作ユニット１は、図１，２に示すように、回転操作されるつまみ１１と、つまみ１１の回転に同期して回転するカムシャフト（伝達機構）１２と、カムシャフト１２が挿通するカム１３と、カムシャフト１２が挿通してカム１３に対向する取り付けベース１４と、取り付けベース１４に取り付けられてカム１３によって接点状態が切り替えられるシーソースイッチ（スイッチ手段）１５と、カムシャフト１２が挿通して当該カムシャフト１２の抜け止めを行う抜け止め部材１６と、上記カムシャフト１２、カム１３、ベース１４、シーソースイッチ１５、抜け止め部材１６を覆うカバー１７とから構成される。
【００２２】
つまみ１１は、略円錐台型に形成されて小径側の面の略中央には円筒部１１ａが突設される。
【００２３】
カムシャフト１２は、略棒体状に形成されて一端がつまみ１１の円筒部１１ａの内径部へ嵌挿される。
【００２４】
カム１３は、略円板状のカム板１３１と、カム板１３１の一面側に突設される複数（本実施形態では３つ）の突部１３２とから構成される。
【００２５】
カム板１３１は、一面側略中央に円柱部１３１ｂが突設され、更に、略中央に穿設される挿通孔１３１ａにカムシャフト１２が嵌挿される。
【００２６】
突部１３２は、図４に示すように、略矩形板状の金属板等を略中央で折曲し、折曲部１３２ａの一方側の第一の傾斜面１３２ｂと、折曲部１３２ａの他方側の第二の傾斜面１３２ｃとから略山型に形成される。そして、突部１３２は、第一、第二の傾斜面１３２ｂ、１３２ｃの先端部がそれぞれカム板１３１の一面に固定されて折曲部１３２ａがカム板１３１の一面側に突出し、傾斜面１３２ｂ、１３２ｃは、当該傾斜面１３２ｂ、１３２ｃの厚み方向にそれぞれ弾性を有している。
【００２７】
また、３つの突部１３２は、カム板１３１の一面においてカムシャフト１２を中心として１２０度ずつ回転させた位置にそれぞれ配設されている。なお、本実施形態では、突部１３２を３つ設けているが、突部の数はこれに限定されず、２個または４個以上の突部１３２が設けられるものであってもよい。その場合、カムシャフト１２を回転中心として回転方向の一方側で隣り合う突部１３２との間の回転角と、回転方向他方側で隣り合う突部１３２との間の回転角とが互いに略等しくなるように配置すればよい。
【００２８】
取り付けベース１４は、平板を略Ｌ字状に折曲して形成され、カムシャフト１２が挿通する挿通孔１４１ａが穿設される基部１４１と、基部１４１の端部からカムシャフト１２の軸方向に沿って延設される延設部１４２とから構成される。
【００２９】
そして、基部１４１は、挿通孔１４１ａにカムシャフト１２が挿通して一面がカム板１３１の一面に対向し、カム板１３１の円筒部１３１ｂ先端に当接する。ここで、延設部１４２は、基部１４１の他面側に延設されている。
【００３０】
その後に、略円筒状の抜け止め部材１６が、カムシャフト１２に嵌挿されて当該抜け止め部材１６が基部１４１の他面に当接した状態で固定される。これにより、カムシャフト１２は、抜け止め部材１６、及びカム板１３１の円筒部１３１ｂによって軸方向への移動が規制され、基部１４１に回転自在に軸支される。
【００３１】
シーソースイッチ１５は、基部１４１の図示しない挿通孔を挿通して基部１４１に取り付けられ、基部１４１に固定される略矩形箱型のボディ１５０と、ボディ１５０の一面から突出して揺動自在に設けられる操作ハンドル（操作部）１５１と、ボディ１５０内に配設されて操作ハンドル１５１の揺動位置に応じて接点が開閉する接点部１５２と、ボディ１５０の他面に貫設されて接点部１５２が閉じた際に導通する一対の端子部１５３ａ、１５３ｂとから構成される。
【００３２】
ボディ１５０は、一面の周縁に基部１４１の一面に当接するフランジ部１５０ａが形成され、更に、ボディ１５０の対向する各側面からは基部１４１の他面に当接する係止部１５０ｂが突設される。つまり、ボディ１５０は、フランジ部１５０ａ及び係止部１５０ｂによって基部１４０に固定される。
【００３３】
ここで、つまみ１２を回転させると、当該つまみ１２の回転に連動してカムシャフト１２及びカム板１３１が回転し、これに伴って突部１３２が円運動して円軌跡を描く。シーソースイッチ１５は、操作ハンドル１５１が突部１３２の円軌跡に対向する位置となるように基部１４１に固定される。なお、カム板１３１と基部１４１との間の距離は、前記円柱部１３１ｂによって決定され、これによりカムシャフト１２の軸方向において、操作部１５１に対する突部１３２の位置決めがなされている。
【００３４】
カバー１７は、隣接する２つの面が開放した略矩形箱型に形成され、その内面にカムシャフト１２を回転自在に軸支した取り付けベース１４が固定され、一方の開放面にカム板１３が覆設されて、つまみ１１がカバー１７外に位置している。そして、他方の開放面の周縁が、照明器具のケース４の外面に接着固定されて回転操作ユニット１が固定される。
【００３５】
そして、つまみ１１が回転操作された際には、つまみ１１の回転に連動してカムシャフト１２が回転し、カムシャフト１２の回転に連動してカム板１３１も回転する。すると、カム板１３１の回転に伴って突部１３２がカムシャフト１２を中心として円運動し、当該突部１３２がシーソースイッチ１５に対向する箇所を通過する際に、当該シーソースイッチ１５における操作ハンドル１５１を押圧して当該操作ハンドル１５１の揺動位置を切り替える。そして、操作ハンドル１５１の揺動位置に応じて接点部１５２の開閉状態が切り替えられ、接点部１５２の開閉状態に応じて点灯回路３が光源２を点灯／消灯する。
【００３６】
ここで、カム板１３１が一方向に回転（図５において右回転）する際には、突部１３２の第一の傾斜面１３２ｂが、操作ハンドル１５１に接触摺動して折曲部１３２ａが操作ハンドル１５１を押圧して当該操作ハンドル１５１の揺動位置を切り替え、カム板１３１が他方向に回転（図５において左回転）する際には、突部１３２の第二の傾斜面１３２ｃが操作ハンドル１５１に接触摺動して折曲部１３２ａが操作ハンドル１５１を押圧して当該操作ハンドル１５１の揺動位置を切り替える。そのため、つまみ１１をいずれの方向に回転した場合であっても、光源２の点灯／消灯を切り替えることができ、更には突部１３２が操作ハンドル１５１に接触する際の衝撃を低減することができて、つまみ１１の回転操作をスムーズに行うことができる。
【００３７】
また、突部１３２の第一の傾斜面１３２ｂ、及び第二の傾斜面１３２ｃは、それぞれ厚み方向に弾性を有することから、当該第一、第二の傾斜面１３２ｂ、１３２ｃは、操作ハンドル１５１に接触摺動する際、厚み方向へ湾曲して摺動抵抗が低減される。これにより、つまみ１１の回転操作をよりスムーズに行うことができる。
【００３８】
このように本実施形態のスタジオ用照明器具では、カムスイッチを用いることなく汎用のシーソースイッチを用いた上記回転操作ユニット１によって、光源２の点灯／消灯を切り替えることができ、カムスイッチを有する従来のスタジオ用照明器具に比べて、軽量コンパクト、且つ安価なスタジオ用照明器具を提供することができる。
【００３９】
なお、本実施形態では、図４で示したように、カム板１３１に突部１３２を別体で設けているが、図６（ａ）、（ｂ）に示すように、カム板１３１の一面側に膨出する膨出部１３２ｄをカム板１３１に一体に形成し、当該膨出部１３２ｄによってシーソースイッチ１５の操作ハンドル１５１を揺動操作するものであってもよい。
【符号の説明】
【００４０】
１  回転操作ユニット
２  光源
３  点灯回路
４  ケース
１１  つまみ
１２  カムシャフト（伝達機構）
１３  カム
１５  シーソースイッチ（スイッチ手段）
１３１  カム板
１３２  突部
１３２ｂ  第一の傾斜面
１３２ｃ  第二の傾斜面
１５１  操作部
１５２  接点部
【図１】
0005391033.tif 000002
【図２】
0005391033.tif 000003
【図３】
0005391033.tif 000004
【図４】
0005391033.tif 000005
【図５】
0005391033.tif 000006
【図６】
0005391033.tif 000007